(57)【要約】【課題】釣り針形刺毛穂を一方向に向かって鋸歯状に刺鋲素子柱本体の周縁に植設して成る刺鋲素子の構造。【解決手段】物体に刺さり易くするため止鋲型刺鋲素子本体を円錐体形にすることでこの先の尖った部分が物体に容易に穿通し易い形状を有するものとした。そして此の円錐体形の止鋲型刺鋲素子本体を基礎としとしたものの円縁面全体に枝状の短形刺毛を植設した。【選択図】      図１
2005177417.tif 000002
【特許請求の範囲】
【請求項１】
釣り針形刺毛穂を一方向に向かって鋸歯状に刺鋲素子柱本体の周縁に植設して成る刺鋲素子の構造。
【請求項２】
針葉樹の針状鎌形をした刺鋲素子を斜めに束生させ、全体を円柱形に組成した刺鋲素子を、任意の物体の一面または任意面に任意数だけ不連続に散展する如く蜜嵌したことを特徴とした、面状止鋲物体の構造。
【請求項３】
任意形物体の全表面に刺鋲素子を植設したことを特徴とした構造体の構造。
【発明の詳細な説明】
【発明の詳細な説明】
【技術分野】
【０００１】  可撓性素材を用いて紡錘体形の円縁全体に釣針形が紡錘体形の円縁面に沿って全体が一方向に揃って垂下するごとく刺毛素子を草設し、全体を鋸歯形に突出さて成る止鋲型刺鋲素子の構造に関する物である。
【背景技術】
【０００２】  従来の鋲で物を止める時は一般的には、円盤の中心に一本の針を埋設したものを用いる、即ち狭飾物に針を貫通させた物を壁面等に圧入して装着する方法が取られている。
然るに、近年に於いては、頭部円盤に工夫をこらして、形状を変化させて操作し易くしたものや、針に工夫をこらしてネヂ山を設けたり、針を２分割したり、挿入方向を斜めに変化させたりしたもの等が出廻っている。
【発明が解決しようとする課題】
【０００３】  従来、織物に物体を装着する方法として、部材がメス、オスの組合せ式が多く用いられており両者を別々に相手に縫合したのち、装着しようとしたもの同志を以て物体同志をこ固着していた。
又安全ピン様のもので指定箇所に定着すると装着物の揺動に依って追動して定着する事が出来ない等の問題点があった。
【課題を解決するための手段】
【０００４】  上記の問題点を解決するため本発明は物体に刺さり易く又一度刺さったら抜けにくくするための工夫をした、それは物体に刺さり易くするため止鋲型刺鋲素子本体を円錐体形にすることでこの先の尖った部分が物体に容易に穿通し易い形状を有するものとした。そして此の円錐体形の止鋲型刺鋲素子本体を基礎としとしたものの円縁面全体に枝状の短形刺毛を植設した。
此の刺毛の植設方向は止鋲型刺鋲素子本体の長さに沿って垂下状に収束させた此の為本発明の止鋲型刺鋲素子が物体に穿ち通る時は、海鳥が羽根を閉じて弾丸の如くなって海に突入する如く枝状の短形刺毛が一本の束になるので突入が容易となる。
一度と通った止鋲型刺鋲素子は貫通方向に逆行する事がない、此の状態のまま抜き取るときは貫通方向に逆行する強力な外力を持って引き抜く必要がある。
即ち、止鋲型刺鋲素子の短形刺毛が引抜き方向に逆向きで止鋲型刺鋲素子が貫通穴周辺に刺さっている為で、此れに逆行する強力な外力を加えると短形刺毛の倒立方向が１８０度反転して引抜き方向に足並みを揃えて滑動を容易にするので引抜きが容易に出来る。
【発明を実施するための最良の形態】
【０００５】  本発明を布製品に就いて実施した場合に就いて説明すると、布製品の簡易接合に用いた場合の止鋲型刺鋲素子本体の材質は準硬質性ナイロン樹脂で成形し短形刺毛素子の材質は凖軟質性ナイロン樹脂で成形した物を使用した。
ナイロン樹脂は、非常に細くした短繊維を此れよりやや太い長繊維を円錐形にした止鋲型刺鋲素子本体の周側面に静電植毛したものである。
【実施例】
【０００６】  実施例については、添付図面を参照しながら説明すると、
図１に於いては本発明の外観側面図を示す、先ず円錐形をなす止鋲型刺鋲素子の本柱▲１▼の外周面全体に、先端▲６▼に向かって斜めで且つ本柱▲１▼の軸に並行して垂下状に短形刺毛素子▲２▼を静電植毛したものである。【０００７】  図２は、本発明の止鋲型刺鋲素子▲８▼を先端▲６▼から見た外観平面図で、本柱▲１▼の外周面全体に、中心から四方に向かって放射状に短形刺毛素子▲２▼が静電植毛されている状態を示すものである。【０００８】  図３は、本発明に係る止鋲型刺鋲素子▲７▼を斜めに見た外観斜視図で本柱▲１▼に静電植毛した短形刺毛素子▲２▼の数や粗密度合い及び方向、本柱▲１▼、短形刺毛素子▲２▼の形状を立体的に観察できる物である。即ち円錐形本柱▲１▼に直線線条を短小に加工した短形刺毛素子▲２▼と先端▲６▼より本柱▲１▼先端▲６▼から根元に向かって傘の骨を窄める様に全体を垂下状に揃えて植設したものである。【０００９】  図４は、本発明に係る止鋲型刺鋲素子▲１０▼を任意形状の基本体▲４▼の一面に分散してに植設したものである。即ち短形刺毛素子▲２▼を任意形状態の基本体▲４▼の表面▲３▼に分散状に植設したもので他えの冠着作用は此れに依って可能となる、又裏面は短形刺毛素子▲２▼が植設していない平滑面であるため他えの冠着作用は無いが、此の面は他の用途に利用するもので、名称、その他を印刷などして、ステッカーや腕章等に利用する事が出来る。【００１０】  図５は図４の平滑裏面に短形刺毛素子▲２▼を植設したものの縦断面図を示すもので、此の場合は表面▲３▼と裏面▲５▼一帯に短形刺毛素子▲２▼の冠着作用を持っているもので前者とは別の広い別の用途を持っている。
身近の用途としては、人の服装においてズボンの内装生地とワイシャツの外周面を固定する時に使用すると、いろいろの動作をしても剥離したり、ズボンのずれ落ち等の不快を無くする事が出来る。
又他え応用する用途としては、任意の物体を任意の箇所に貼着して物体の表示等を行なう場合、更に臨時に展示や開設する等に於いて任意箇所に任意の物を展示又は表示する場合、展示会の展示物を組み立てる物同志との接合部、その他の簡単な部分用途としてはゼッケンの装着、包帯の端末の固定等々が考えられる。【００１１】  図６−１は、布目の一部分に短形刺毛素子▲２▼の頭部の一部が布地の蜜目▲１２▼に貫入した状態を立体的に拡大して図示した斜視図である、布の蜜▲１２▼目に貫入した短形刺毛素子▲２▼は貫入方向に短形刺毛素子▲２▼の線条体▲１０▼が束ねて曲がり一体化するので貫入が容易となる然るに此の状態から短形刺毛素子▲２▼を抜き出す時は鋸歯状に突出している線条体▲１０▼が布を構成している縦糸▲９▼及び横糸▲１１▼の蜜目部分▲１２▼で逆方向を向いているので線条体▲１０▼が縦糸▲９▼及び横糸▲１１▼に刺さって引抜き方向に抵抗して此れが咬んだ状態で止まる。
しかるにこれを更に力を加えて強力に引き抜くと短形刺毛素子▲２▼の線条体▲１０▼が本来の保持力が抗しきれず縦糸▲９▼及び横糸▲１１▼のしごきによって引き抜く方向え反転して倒れる、こうして一旦短形刺毛素子▲２▼の線条▲８▼が引き抜く方向え反転すると前者の貫入の時と同様に容易に且つ抵抗なく引き抜く事が出来る。【００１２】  図６−２に示す図は、布地の縦糸▲９▼及び横糸▲１１▼の蜜目部分▲１２▼に短形刺毛素子▲２▼の一部が貫通した状態を示す断面拡大図である。
図６−２に示す図より解る様に短形刺毛素子▲２▼は線条体▲１０▼が貫通方向に対応しているため布目への挿通が容易である。此の状態にある時は確実に短形刺毛素子▲２▼が蜜目部分▲１２▼で強力に握るように保持されている。
此れを抜き外す時は、前述の如く強力に引き抜くと短形刺毛素子▲２▼の線条体▲１０▼が本来の保持力に抗しきれず縦糸▲９▼及び横糸▲１１▼のしごきによって引き抜く方向え反転して倒れる、こうして一旦引き抜く方向え反転すると貫入の時と同様に容易に且つ抵抗なく引き抜く事が出来る。
【発明の効果】
【００１３】  本発明は以上説明したような形態で実施され、以下に記載するような効果を奏する。
【００１４】  短形刺毛素子▲２▼は一旦布地に線条体▲１０▼が貫通すると線条体▲１０▼の逆向きによって抜け落ちが阻害されるので、従来に無い強力な保持力が得られる。
【００１５】  本発明は、広く多方面に応用出来る可能性は多大である、即ち着衣の上から腕に巻いて腕章を保持したり、ワッペンやゼッケンその他の取り付け等に用いる場合ワンタッチで着脱が出来る便利さがある。
【００１６】  本発明はまたズボンとワイシャツ等の隙間を固着する時、図５に示す表裏対照の両歯型鋸式▲１３▼のベルト状に組成した物を、この隙間に鋏み込んだ上からバンドで押さえ込むと、最初に設定した位置に固定され、外力の加わり方等によるズボンのずれ落ちを無くし、永続的に固定している等の利点がある。
【図面の簡単な説明】
【００１７】
【図１】  短形刺毛素子の外観側面図である。
【図２】  短形刺毛素子の外観平面図である。
【図３】  短形刺毛素子の外観斜視図である。
【図４】  短形刺毛素子を基地の一面に植設した側面図である。
【図５】  短形刺毛素子を基地の表裏両面に植設した側面図である。
【図６−１】  短形刺毛素子を布の織り目に貫通させた時の拡大斜視図である。
【図６−２】  短形刺毛素子を布の織り目に貫通させた時の拡大断面図である。
【符号の説明】
【００１８】  １、  本柱
２、  短形刺毛素子
３、  表面
４、  基本体
５、  裏面
６、  先端部
７、  止鋲型刺鋲素子
８、  鋸歯状に突出している線条
９、  タテ糸
１０、  線条体
１１、  ヨコ糸
１２、  蜜目部分
１３、  両歯鋸式
【図１】
2005177417.tif 000003
【図２】
2005177417.tif 000004
【図３】
2005177417.tif 000005
【図４】
2005177417.tif 000006
【図５】
2005177417.tif 000007
【図６−１】
2005177417.tif 000008
【図６−２】
2005177417.tif 000009